(57)【要約】【課題】簡便、迅速な作業でインピーダンス整合も含めて安定、確実な同軸ケーブルの接続継手、及び接続方法を提供する。【解決手段】波付管からなる外部導体と、前記外部導体と絶縁された内部導体からなる同軸ケーブルの接続継手であって、接続される一対の同軸ケーブルの双方の前記内部導体に両端を嵌入されるインナーコネクタと、前記波付管からなる外部導体の波付形状と同一の波付形状を有し、前記接続される一対の同軸ケーブルの双方の前記外部導体に跨って前記外部導体に緊締される補修パッチと、前記外部導体と前記補修パッチを緊締する緊締具とを少なくとも備える。またはこの継手を使用して同軸ケーブルを接続する。【選択図】図１
2004139748.tif 000002
【特許請求の範囲】
【請求項１】
波付管からなる外部導体と、前記外部導体と絶縁された内部導体からなる同軸ケーブルの接続継手であって、接続される一対の同軸ケーブルの双方の前記内部導体に両端を嵌入されるインナーコネクタと、前記波付管からなる外部導体の波付形状と対応する波付形状を有し、前記接続される一対の同軸ケーブルの双方の前記外部導体に跨って前記外部導体に緊締される補修パッチと、前記外部導体と前記補修パッチを緊締する緊締具とを少なくとも備えることを特徴とする同軸ケーブル接続継手。
【請求項２】
波付管からなる外部導体と、前記外部導体と絶縁された内部導体からなる同軸ケーブルの接続方法であって、接続される一対の同軸ケーブルのうち一方の前記内部導体にインナーコネクタの一端を嵌入する工程と、前記接続される一対の同軸ケーブルのうち他方の前記内部導体に前記インナーコネクタの他端を嵌入する工程と、前記波付管からなる外部導体の波付形状と対応する波付形状を有する補修パッチを前記接続される一対の同軸ケーブルの双方の前記外部導体に跨って当てがう工程と、前記補修パッチを前記外部導体に緊締具により緊締する工程とを少なくとも有することを特徴とする同軸ケーブルの接続方法。
【発明の詳細な説明】
【０００１】
【発明の属する技術分野】
本発明は、通信や放送分野において各種信号の伝送に使用する同軸ケーブルの接続継手及び接続方法に関する。特に、外部導体を波付管で形成した可撓性同軸ケーブルの接続継手及び接続方法に関する。
【０００２】
【従来の技術】
従来の同軸ケーブル接続には専用の同軸ケーブル接続用のコネクタが使用されていた。（特許文献１〜３参照）。そして、これらのコネクタを使用した接続は通常はケーブル工場などの整った環境下で行われていた。
【０００３】
【特許文献１】
特開２００１−１７６６２３号公報
【特許文献２】
特開平１０−０６９９４６号公報
【特許文献３】
特開平０８−０７８１０５号公報
【０００４】
【発明が解決しようとする課題】
しかしながら、既に布設された同軸ケーブルにおいては、時折切断事故を起こすことがある。このような場合には、第一に短時間で切断したケーブルを接続しケーブルの機能を迅速に復旧させることが求められるが、従来の専用コネクタを使用した接続においては、専用コネクタは相当の重量を有しており足場の悪い切断事故現場などでの取扱いが困難であり迅速な復旧が難しかった。また、専用コネクタの性能を十分に発揮させるには、精度の良い作業が必要であり、このためには作業の熟練や専用工具などが要求されていた。さらに、切断事故に備え、高価な専用コネクタを常備することは経済的負担が大きかった。このため、切断事故の復旧においては、図９に示すように、ケーブルのインピーダンス整合などは無視して別個の電線１０１、１０２などで内部導体１０３同士及び外部導体１０４同士などを接続する方法がしばしば採られていた。
【０００５】
そこで、本発明の目的は、簡便、迅速な作業でインピーダンス整合も含めて安定、確実な同軸ケーブルの接続継手、及び接続方法を提供することである。
【０００６】
【課題を解決するための手段】
上記目的を達成するため、請求項１に係る同軸ケーブルの接続継手は、波付管からなる外部導体と、前記外部導体と絶縁された内部導体からなる同軸ケーブルの接続継手であって、接続される一対の同軸ケーブルの双方の前記内部導体に両端を嵌入されるインナーコネクタと、前記波付管からなる外部導体の波付形状と対応する波付形状を有し、前記接続される一対の同軸ケーブルの双方の前記外部導体に跨って前記外部導体に緊締される補修パッチと、前記外部導体と前記補修パッチを緊締する緊締具とを少なくとも備えることを特徴とする。
【０００７】
係る継手によれば、軽量な部品で同軸ケーブルを接続できるため切断事故現場など悪環境下であっても、簡便、迅速な接続が可能であり、補修パッチは外部導体に対して外側から緊締されるため精度に対する許容度が大きい。また、補修パッチの波付形状は外部導体の波付形状と対応しており、波付形状同士が係合するため、同軸ケーブルの張力にも良く耐えることができ抜け防止に資することができる。さらに、インナーコネクタや補修パッチを同軸ケーブルとインピーダンス整合するように設定しておけば、現場復旧においてもインピーダンスの整合が可能である。特に、補修パッチとして、外部導体の一部を切り取って使用する場合には、インピーダンス整合、同軸ケーブルとの強度バランスに優れるとともに、部材の調達が容易であるという利点を有する。
【０００８】
請求項２に係る同軸ケーブルの接続方法は、波付管からなる外部導体と、前記外部導体と絶縁された内部導体からなる同軸ケーブルの接続方法であって、接続される一対の同軸ケーブルのうち一方の前記内部導体にインナーコネクタの一端を嵌入する工程と、前記接続される一対の同軸ケーブルのうち他方の前記内部導体に前記インナーコネクタの他端を嵌入する工程と、前記波付管からなる外部導体の波付形状と対応する波付形状を有する補修パッチを前記接続される一対の同軸ケーブルの双方の前記外部導体に跨って当てがう工程と、前記補修パッチを前記外部導体に緊締具により緊締する工程とを少なくとも有することを特徴とする。
【０００９】
係る接続方法によれば、軽量な部品で同軸ケーブルを接続できるため切断事故現場など悪環境下であっても、簡便、迅速な接続が可能であり、補修パッチは外部導体に対して外側から緊締されるため精度に対する許容度が大きい。また、補修パッチの波付形状は外部導体の波付形状と対応しており、波付形状同士が係合するため、同軸ケーブルの張力にも良く耐えることができ抜け防止に資することができる。さらに、インナーコネクタや補修パッチを同軸ケーブルとインピーダンス整合するように設定しておけば、現場復旧においてもインピーダンスの整合が可能である。特に、補修パッチとして、外部導体の一部を切り取って使用する場合には、インピーダンス整合、同軸ケーブルとの強度バランスに優れるとともに、部材の調達が容易であるという利点を有する。
【００１０】
【発明の実施の形態】
以下、実施の形態を添付図面によって説明する。
【００１１】
図１は、本発明の実施の形態としての接続継手を使用した同軸ケーブルの接続状態を表した図である。図１において、１、１´は接続されるべき一対の同軸ケーブルであり、外部絶縁層２、２´、波付管からなる外部導体３、３´、管状の内部導体４、４´を有している。ここで外部絶縁層２、２´は例えばポリエチレン、または、ビニールの樹脂を厚さ約２ｍｍ程度の管状に形成されており、外部導体３、３´は、銅、銅合金、アルミ、アルミ合金などを管状に形成し、かつ、蛇腹状または螺旋状の波付形状が形成されている。本例においては波付の山径４６ｍｍ、谷径４１ｍｍ、厚さ０．４ｍｍの寸法を有している。また、内部導体４、４´は銅、銅合金、アルミ、アルミ合金などで、本例においては外径１７ｍｍ、厚さ１ｍｍの管状に形成され、ポリエチレン樹脂製の保持材５によって前記外部導体３、３´と同心に保持されている。
【００１２】
６はインナーコネクタであり図２に示すように両端の嵌入部６２、６２´と中央つば部６３を有している。嵌入部６２、６２´は内部導体４、４´の内側に嵌入されるが、すり割６１を設けておくと、嵌入の際には嵌入力により嵌入部６２、６２´がすり割６１の寸法分縮径し嵌入が容易であるとともに、嵌入後は弾性により拡径して内部導体４、４´との接触を良好にするので好ましい。また、拡径側に付勢するため穴用止め輪６４を嵌入部６２、６２´の内側に設けておくとさらに好ましい。インナーコネクタ６は銅、銅合金、鉄、アルミなどの金属で形成されるが、導電率が高く、縦弾性係数が高いリン青銅等を使用するとより好ましい。また、中央つば部６３は必須ではないが嵌入の際に内部導体４、４´を当接させることにより嵌入深さの目安となるため設けておくことが好ましい。
【００１３】
ここで、インナーコネクタ６を内部導体４、４´に嵌入する際にはめあいが硬く人力では嵌入が困難な場合には図３乃至図５に示すように同軸ケーブル１、１´の適宜な位置にカラー１０を装着し、バイス１１で締め上げたり（図３参照）、ボルト１２で締め上げたり（図４参照）、ハンマー１３で叩き込む等すれば（図５参照）嵌入作業を容易にすることができる。
【００１４】
また、インナーコネクタは内部導体４、４´の内側に嵌入するもののほか図６に示すように中央つば部２１を内側に有する外嵌型のインナーコネクタ２０であってもよい。この場合には内部導体が管状でない場合にも接続が可能である。
【００１５】
７、７´は補修パッチであり、外部導体３、３´の波付形状と対応する波付形状を有しており、それぞれ外部導体３、３´の略半周分からなる２つのピースとなっている。ここで、波付形状が対応するとは、補修パッチ７、７´が外部導体３、３´と同一の波付形状を有する場合のみならず、補修パッチ７、７´の波付形状が外部導体３、３´の波付形状より若干大きい場合や小さい場合を含み互いに係合するものであれば良い。この場合、両者の波付形状を同一にする場合には外部導体３、３´の一部を切り取って補修パッチ７、７´とすることができ後述する調達容易などの利点を有する。また、補修パッチ７、７´の波付形状が外部導体３、３´の波付形状より略板厚分大きい場合には波付形状の係合が安定するため好ましい。補修パッチ７、７´も銅、銅合金、アルミなどで形成されるが、外部導体３、３´の一部を切り取って形成した場合には、物性が同一であるためインピーダンス整合、強度バランスに優れるのみならず、部材の調達も容易であるため好ましい。８、８´はホースバンドであり緊締具として使用している。なお、緊締具としては、ホースバンドに限られず、インシュロック、半割リング等であっても良い。
【００１６】
次に、本発明の実施形態としての接続方法を説明する。まず、同軸ケーブル１、１´の外部導体３、３´、内部導体４、４´の端面を平滑にし、外部絶縁層２、２´を剥ぎ取り、補修パッチの長さ分か幾分余分に外部導体３、３´を露出させる。次に、一方の内部導体４の内側にインナーコネクタ６の一方の嵌入部６２を嵌入する。インナーコネクタ６の他方の嵌入部６２´を他方の内部導体４´の内側に嵌入する。このようにして内部導体４、４´はインナーコネクタ６を介して機械的及び電気的に接続される。この段階の状態を図７に示す。
【００１７】
さらに、外部導体３、３´に跨るように補修パッチ７、７´を当てがい、外周側からホースバンド８、８´で緊締する。このようして外部導体３、３´は補修パッチ７、７´を介して接続される。この際には外部導体３、３´の波付形状と補修パッチの波付形状が互いに係合するので同軸ケーブル１、１´の張力に対しても良く耐え、抜けることを有効に防止できる。この段階の状態を図８に示す。最後に、接続部全体をＰＶＣテープ等を巻き付けて覆い、防水、防食、感電防止の処理をして接続作業が完了する。
【００１８】
なお、上記接続継手及び接続方法により接続した接続部の劣化程度を表すケーブル減衰量を測定したところ、ＵＨＦ帯域（４７０ＭＨｚ〜７７０ＭＨｚ）において、約０．２ｄＢ程度であり（図１０参照）、切断前の減衰量約０．２ｄＢと同程度であった（図１１参照）
【００１９】
さらに、接続作業に要した時間は、作業環境などによりばらつきは出るが本発明者等が実際に作業したところ従来の専用コネクタによる接続の場合には約４時間を要し、本発明に係る接続の場合には約３０分で接続が可能であった。
【００２０】
【発明の効果】
本発明によれば、以上説明した通り、簡便、迅速な作業でインピーダンス整合も含めて安定、確実な同軸ケーブルの接続継手、及び接続方法を提供することができる
【図面の簡単な説明】
【図１】本発明の実施形態である同軸ケーブルの接続状態を表す図。
【図２】インナーコネクタの一実施形態（内嵌型）を表す図。
【図３】インナーコネクタの嵌入方法を表す図。
【図４】インナーコネクタの嵌入方法を表す図。
【図５】インナーコネクタの嵌入方法を表す図。
【図６】インナーコネクタの一実施形態（外嵌型）を表す図。
【図７】内部導体接続完了段階の状態を表す図。
【図８】補修パッチ緊締完了段階の状態を表す図
【図９】従来の応急接続状態を表す図。
【図１０】接続部のケーブル減衰量を表す図
【図１１】切断前のケーブル減衰量を表す図
【符号の説明】
１、１´　　　同軸ケーブル
２、２´　　　外部絶縁層
３、３´　　　外部導体
４、４´　　　内部導体
５　　　　　　保持材
６　　　　　　インナーコネクタ
６１　　　　　すり割
６２、６２´　嵌入部
６３　　　　　中央つば部
６４　　　　　穴用止め輪
７、７´　　　補修パッチ
８、８´　　　ホースバンド
１０　　　　　カラー
１１　　　　　バイス
１２　　　　　ボルト
１３　　　　　ハンマー
２０　　　　　インナーコネクタ
２１　　　　　中央つば部
１０１　　　　電線
１０２　　　　電線
１０３　　　　内部導体
１０４　　　　外部導体
【図１】
2004139748.tif 000003
【図２】
2004139748.tif 000004
【図３】
2004139748.tif 000005
【図４】
2004139748.tif 000006
【図５】
2004139748.tif 000007
【図６】
2004139748.tif 000008
【図７】
2004139748.tif 000009
【図８】
2004139748.tif 000010
【図９】
2004139748.tif 000011
【図１０】
2004139748.tif 000012
【図１１】
2004139748.tif 000013